(57)【特許請求の範囲】
【請求項１】
ブレーキディスクスタック、ブレーキヘッド、および該ブレーキヘッドに据え付けられた複数のアクチュエーターモジュールから成るブレーキであって、該アクチュエーターモジュールはモジュールハウジング、往復ラムおよび該往復ラムに作動自在に接続されて該往復ラムを選択的に該ブレーキディスクスタックと強力に噛み合わせたり或いは該噛み合わせから離したりしてブレーキ力を適用および解放するための動力装置を包含し、そして該アクチュエーターモジュールは一つのユニットとして該ブレーキヘッドの片側から取り外すことができる、航空機または列車用ブレーキ。
【請求項２】
該アクチュエーターモジュールが該ブレーキヘッドの該ブレーキディスクスタックと面していない側から取り外すことのできる、請求項１に記載されたブレーキ。
【請求項３】
該ラムが該モジュールハウジング内で誘導されて該ブレーキディスクスタックの方向に或いは反対の方向に動作する、請求項１に記載されたブレーキ。
【請求項４】
該ラムが該ブレーキヘッド内で誘導されて該ブレーキディスクスタックの方向に或いは反対の方向に動作する、請求項１に記載されたブレーキ。
【請求項５】
該ラムがラムナットを包含し、そして該動力装置が該ラムナットとねじ係合している親ねじに駆動的に接続されている電動機を包含し、ここで該親ねじの回転が該ナットを該ブレーキディスクスタックの方向に或いは反対の方向に直線運動をさせる、請求項１に記載されたブレーキ。
【請求項６】
該ラムナットが該モジュールハウジング内で誘導されて該ブレーキディスクスタックの方向に或いは反対の方向に動作する、請求項５に記載されたブレーキ。
【請求項７】
該モジュールハウジングが該ラムナットを誘導するための誘導路を包含し、そして該誘導路とラムナットのそれぞれが、互いに回転的に干渉し合うことによって該ラムナットの該ハウジングに関連した回転を制限する複数の外側面によって規定される多角形断面積を有する、請求項６に記載されたブレーキ。
【請求項８】
航空機車輪アセンブリーと組み合わされている、請求項１に記載された航空機用ブレーキ。
【請求項９】
ブレーキディスクスタックおよび複数のアクチュエーターモジュールが取り外しできるように据え付けられているブレーキヘッドを包含する航空機または列車用ブレーキを提供する方法であって、各アクチュエーターモジュールは、往復ラムに作動自在に接続されて該往復ラムを選択的に該ブレーキディスクスタックと強力に噛み合わせたり或いは該噛み合わせから離したりしてブレーキ力を適用および解放するための動力装置を包含し、該方法は交換されるべきアクチュエーターモジュールを識別し、そして該ブレーキディスクスタックを取り外さずに該識別されたアクチュエーターモジュールを取り外し別のアクチュエーターモジュールと交換する工程から成る、上記方法。
【請求項１０】
該ブレーキは車輪とブレーキのアセンブリーの一部であり、そして該取り外しおよび交換工程は該車輪とブレーキのアセンブリーから車輪を取り外さずに識別されたアクチュエーターモジュールを取り外しそして交換することを包含する、請求項９に記載された方法。
【請求項１１】
回転可能な車輪；該車輪に作動自在に接続されて該回転可能な車輪に対してブレーキトルクを適用或いは該回転可能な車輪からブレーキトルクを解放するためのブレーキディスクスタック；ブレーキヘッド；それぞれのアクチュエーターモジュールが往復ラム、該往復ラムに作動自在に接続されて該往復ラムを選択的に該ブレーキディスクスタックと強力に噛み合わせたり或いは該噛み合わせから離したりして該回転可能な車輪に対してブレーキトルクを適用および解放する動力装置、および該ラムと動力装置を備えたモジュールハウジングとを包含する複数のアクチュエーターモジュールから成り、ここで該アクチュエーターモジュールは一つのユニットとして該ブレーキヘッドの片側から取り外すことができる、航空機または列車の車輪とブレーキのアセンブリー。
【請求項１２】
該アクチュエーターモジュールを該回転可能な車輪を取り外さずに該ブレーキヘッドから取り外すことのできる、請求項１１に記載された車輪およびブレーキアセンブリー。
【請求項１３】
該モジュールハウジングが誘導路を包含し、該ラムが該誘導路に誘導されて直線運動をし、そして該誘導路とラムが、協力して、該モジュールハウジングに関する該ナットの回転を防ぐために同じ多角形断面形状を有する、請求項１１に記載された車輪とブレーキのアセンブリー。
【請求項１４】
該誘導路とラムナットの外側面が平坦である、請求項１３に記載された車輪とブレーキのアセンブリー。
【請求項１５】
該誘導路とラムナットのそれぞれが標準的な多角形の断面形状を有する、請求項１３に記載された車輪とブレーキのアセンブリー。
【請求項１６】
複数のアクチュエーターモジュールが該ブレーキヘッドの中心軸の周りに等間隔を置いて設置されている、請求項１１に記載された車輪とブレーキのアセンブリー。
【請求項１７】
該ブレーキヘッドが誘導路を包含し、該ラムが該誘導路に誘導されて直線運動をする、請求項１１に記載された車輪とブレーキのアセンブリー。
【請求項１８】
回転可能な車輪、該回転可能な車輪に作動自在に接続されて該回転可能な車輪に対してブレーキ力を適用或いは解放するためのブレーキディスクスタックおよびブレーキヘッドを包含する、航空機または列車の車輪とブレーキのアセンブリーにおいて使用される、複数のアクチュエーターモジュールであって；  該アクチュエーターモジュールは往復ラム、該往復ラムに作動自在に接続されて該往復ラムを選択的に該ブレーキディスクスタックと強力に噛み合わせたり或いは該噛み合わせから離したりして該回転可能な車輪に対してブレーキ力を適用および解放するための動力装置、および該ラムと動力装置を備えそして該ブレーキヘッドに対して取り外しできるように取り付けることのできる構造を持つモジュールハウジングを包含し、ここで該アクチュエーターモジュールは該ブレーキヘッドに対し一つのユニットとして取り外し可能なように取り付けられている、上記アクチュエーターモジュール。
【請求項１９】
該モジュールハウジングが誘導路を包含し、該ラムが該誘導路に誘導されて直線運動をする、請求項１８に記載された車輪とブレーキのアセンブリー。
【発明の詳細な説明】
【０００１】
【発明の属する技術分野】
本発明は以下に説明され、ブレーキおよび方法に関するものであり、さらに詳しくは電気機械式アクチュエーターを用いたブレーキおよび方法に関するものであり、さらにより詳しくは電気的に作動する航空機のブレーキおよび方法に関するものである。
【０００２】
【従来の技術】
これまでの航空機の車輪およびブレーキには回転不可式車輪支持、該車輪支持に回転できるように据え付けられている車輪、および相対的な軸運動に対して該車輪支持と車輪に関して回転子と固定子ディスクが交互に据え付けられているブレーキディスクスタックが包含されていた。各回転子ディスクはその回転に合わせて回転する該車輪に連結され、そして各固定子ディスクは回転に逆らう該車輪支持へと連結される。裏当て板はディスクパックの最後部に位置しており、そしてブレーキヘッドはその最前部に位置している。該ブレーキヘッドは、伸張して該ブレーキディスクスタックを該裏当て板に対して圧縮するアクチュエーターラムを複数個備えていることができる。トルクは固定トルクチューブ等を介して該固定子ディスクによって取り出される。
【０００３】
米国特許第４,３８１,０４９、４,４３２,４４０、４,５４２,８０９および４,５６７,９６７によって例示されるような様々な構造を持つ電気的に作動する航空機のブレーキが知られている。これらの特許に示されるブレーキには電動機が包含され、該電動機は電気制御信号に応答して複数のボールを介して相互作用するリングギヤー部材の回転を促し、直線的に運動可能なラム部材をブレーキディスクスタックと接触噛み合わさせて、該ブレーキディスクスタックの圧縮と車輪の停止を促す。
【０００４】
米国特許第４,５９６,３１６には、上記とは別の構造を持つ電気的に作動するブレーキがローラーねじ電動機を利用し、ここで該ローラーねじ電動機のリングギヤ部材は複数のローラースクリューを介して相互作用し、ラム部材とブレーキ圧力板とを噛み合わせ、該ブレーキディスクスタックを圧縮しブレーキを掛ける、ことが記載されている。複数の電動機とそれらに関連するピニオンはリングギヤの回転を促し、そして複数のローラースクリューは該ラム部材の直線的な軸運動を促す。
【０００５】
米国特許４,８６５,１６２には、さらに電気的に作動する航空機用ブレーキがローラーねじ電動機機構を利用し、該ローラーねじ電動機機構は、そのスクリューまたはナットに関連するギヤ電動機を介してトルク電動機によって駆動されることが記載されている。該トルク電動機による該ギヤ電動機の回転は該スクリューまたはナットのもう一方をブレーキディスクスタックと軸接触させて該スタックを圧縮しブレーキを掛ける。複数の該ローラーねじ電動機機構および個々のギヤ電動機とトルク電動機は該車輪の軸の周りにバランスの取れた配置構成でブレーキヘッド内に組み立てられており、該トルク電動機に対する電気制御信号に応答して該ブレーキディスクスタックに対してブレーキ圧力を適用および解放する。
【０００６】
【発明が解決しようとする課題】
トルク電動機駆動のラムを包含するこれらの現在知られているブレーキの修理またはメンテナンスはこれまでブレーキの有意な解体を必要としてきた。従来技術の設計の複雑に統合された性質は、たとえ修理または交換が必要となる欠陥成分が一つだけでも、該アセンブリーのメンテナンス、修理および／またはオーバーホールのために該アセンブリーを実質的に分解することが通常必要となる。大規模な分解には長時間に亘る組み立て直しと耐航性を確認する再検査が関連してくる。さらに、複雑な機械加工と組み立て工程を伴う高度に統合された設計とアセンブリーの処理および製造は高価である。そのようなアセンブリーの個々の成分の流通および部品備蓄も同様に複雑且つ非効率的であることは、カムを例としてこの分野に精通する者に理解される。従って、航空機、例えば商業目的の民間機の場合、欠陥のあるアクチュエーターが処理されるまで、予定されていたサービスから外れなければならなくなる可能性が高い。このために、例えば、航空機会社の収入が損なわれ、スケジュールの調整が必要となり、乗客に多大な不都合をもたらすことになる。
【０００７】
【課題を解決するための手段】
本発明は、その一つ一つを一つのユニットとして簡単且つ迅速に取り替えることのできるアクチュエーターモジュールの使用によって特徴づけられるブレーキおよび方法を提供する。これにより、好ましくはブレーキおよび車輪アセンブリー全体の解体を必要とせずに、該アクチュエーターモジュールを迅速且つ簡単に取り替えることができる。さらに、機能不全のアクチュエーターモジュールを、好ましくは航空機が予定されたサービスから遅れないぐらいに十分速くおよび／または最小限の中断時間内で該航空機上で交換および最小限の用具を用いて検査される可能性が考えられる。加えて、該アクチュエーターモジュールを再調整されたアクチュエーターモジュールおよび／または新しいアクチュエーターモジュールと交換することによって、該ブレーキの定期的なメンテナンスをより迅速に且つより効率的に行うことができる。
【０００８】
それゆえに、本発明による航空機または列車用ブレーキの好ましい実施態様はブレーキディスクスタック、ブレーキヘッド、および該ブレーキヘッドに据え付けられた複数のアクチュエーターモジュールからなる。該アクチュエーターモジュールにはモジュールハウジング、往復ラムおよび該往復ラムに作動自在に接続されて該往復ラムを選択的に該ブレーキディスクスタックと強力に噛み合わせたり或いは該噛み合わせから離したりしてブレーキ力を適用および解放する動力装置を包含する。本発明によれば、該アクチュエーターモジュールは該ブレーキヘッドの片側から一つのユニットとして取り外すことができる。
【０００９】
さらに本発明の好ましい実施態様によれば、該アクチュエーターモジュールは該ブレーキヘッドの側面の内、該ブレーキディスクスタックの位置する側とは反対の側から取り外すことができ、そして該ラムは該モジュールハウジング内で誘導されて該ブレーキディスクスタックに向う或いは該ブレーキディスクスタックから離れる運動をする。該ラムはラムナットを包含し、そして該動力装置は、該ラムナットと噛み合っている親ねじ（ボールねじが好ましいが、他の種類のねじ駆導等も考慮される）に駆動的に接続されることによって該親ねじの回転が該ナットに該ブレーキディスクスタックに向う或いは該ブレーキディスクスタックから離れるような直線運動をさせる電動機を包含するのが好ましい。該ラムナットは該モジュールハウジング内で誘導されて該ブレーキディスクスタックに向う或いは該ブレーキディスクスタックから離れる運動をするのが好ましい。このために、該モジュールハウジングは該ラムナットを誘導するための誘導路を包含し、そして該誘導路とラムナットのそれぞれは、互いに回転的に干渉し合い該ラムナットの該ハウジングに関連した回転を制限するため複数の外側面によって規定される多面断面を有する。
好ましいアプリケーションにおいて、該ブレーキは航空機用車輪アセンブリーと組み合わせて用いられる。
【００１０】
本発明の別の局面によれば、上記ブレーキを提供するための方法が提供される。この方法は、交換すべきブレーキモジュールを識別し、そして該ブレーキディスクスタックを解体せずに、識別されたブレーキモジュールを撤去し別のブレーキモジュールと交換する工程からなる。好ましくは、該ブレーキが車輪とブレーキアセンブリーの一部である場合、上記の撤去および交換工程には、該車輪とブレーキアセンブリーから該車輪を撤去せずに識別されたブレーキモジュールを撤去および交換することが包含される。
【００１１】
本発明の上記および他の特徴は以下に詳細に説明され、特に請求項において指摘されており、以下の説明と添付図面は本発明の例示的な実施態様の一つ以上を詳細に説明しているが、これらの実施態様は本発明の原理が適用される様々な方法のほんの一部だけを示しているに過ぎない。
【００１２】
【好ましい実施態様の説明】
本発明は航空機のブレーキ系統における利用を考慮して開発されたものであるので、ここでは主にこの主旨に基づいて説明していく。しかしながら、より広い見地における本発明の原理は、航空機以外のブレーキ系統、例えば列車のブレーキ系統等にも適用できる。
ここで図面、まず初めに図１を詳しく参照すると、本発明による車輪およびブレーキは一般に１０で示される。アセンブリ１０は、一般にブレーキ１１と、車軸１５上においてベアリング１３と１４によって、回転に対して支持されている航空機の車輪１２から構成される。車軸１５は車輪台を形成しており、そして航空機着陸装置支材（図示されていない）の末端または着陸装置支材の末端に取り付けられているトラックへと取り付けられている。
【００１３】
ブレーキ１１は、ボルトファスナー２１によってトルクチューブ２２に取り付けられているブレーキヘッドまたはハウジング２０を包含し、そしてトルクチューブ２２はボルトファスナー２３によって車軸１５上でトルク取出しフランジに取り付けられている。本発明はフランジ据付け型のブレーキの範囲内で説明されているが、当業者らによって理解されるように、本発明の原理は他の種類のブレーキ、例えばトルクラグ型のブレーキにも適用できる。上記のブレーキヘッドは、図１および２で最もよく説明されているように、中央開口部を囲むボルトサークルを有する一般に平坦な円盤状の板部材である。
【００１４】
トルクチューブ２２は交互に配置されている固定ブレーキ成分および回転ブレーキ成分によって囲まれている。該固定および回転ブレーキ成分は固定ディスク２５および回転ディスク２６の形状を採っており、そしてそれらの交互に配置された構成は一般にブレーキディスクスタックと呼ばれ、参照番号２７によって示される。固定子ディスク２５は該トルクチューブにスプラインされ、そして回転子ディスク２６は車輪１２のリムの内側で車輪にスプラインされる。慣用のように、スプライン接続は、該枠／トルクチューブの周囲に空間を置いて配置されて、相対回転運動に対して該車輪／トルクチューブに支持されている間に該回転子／固定子ディスクに軸運動をさせる、複数のスプラインまたは駆動キーによって行われる。
【００１５】
ディスクスタック２７は背圧部材３１とブレーキヘッド２０との間に位置する。背圧部材３１はトルクチューブ２２の外部末端にラジアルフランジによって形成される。該ラジアルフランジは、ディスクスタック２７の後方末端における最後のブレーキディスク３４と噛み合う、周囲に空間を置いて設置された複数のトルクパック３３をその上に携える。トルクパック３３は、ある程度の回転運動ができるようにその心棒が該ラジアルフランジの穴に緩めに嵌められている数本のトルクパックによってラジアルフランジ３１に公知の手段で取り付けられている。例示された実施態様における該トルクパックは最後のブレーキディスク３４を該トルクチューブに関連する回転に対して固定する。改修された配置構成においては、該ラジアルフランジは該ディスクパックと直接噛み合うように構成されてもよいし、さらに他の配置構成が使用されてもよい。
【００１６】
圧力は、例示された実施態様において一つ以上のアクチュエーターラム３５の機内側の末端部である一つ以上のディスク噛み合い部材によってディスクスタック２７の最先端部へと掛けられる。該アクチュエーターラム３５は、該ブレーキヘッドへの該アクチュエーターモジュールの迅速且つ簡単な取り付けおよび該ヘッドからの該モジュールの迅速且つ簡単な取り外しを可能とする取り外し可能なボルトファスナー３７または他の適切な手段によってブレーキヘッド２０に据え付けられているアクチュエーターモジュール３６の一つ一つに包含されている。図２に示されるように、複数のアクチュエーターモジュール３６は、該車輪の回転軸の周囲に円状に配置されて据え付けられており、好ましくは、さらに、該アクチュエーターラムが円周上に等間隔を開けて設置されている。該アクチュエーターモジュールのそれぞれからはブレーキ制御装置（図示されていない）への電気的な接続を促すためにケーブル３９（二本のみが図示されている）が伸びている。該制御装置は、同数の独立したサーボ増幅装置、マイクロプロセッサーとその関連周辺機器、そしてデータ入力／出力（Ｉ／Ｏ）回路部品を包含していてもよい。本発明は制御装置または該アクチュエーターモジュールの動作を制御するのに必要な別の回路部品の種類に存在する訳ではないので、該制御装置の詳細な説明はここでは割愛する。
【００１７】
好ましくは、該モジュールは互いに同一且つ交換可能であり、そして該アクチュエーターモジュールの代表的なものが図３において幾分概略的に示されている。各アクチュエーターモジュール３６は電動機５０、ギヤ列５１、およびボールねじアセンブリー５２を包含することが好ましい。電動機５０、ギヤ列５１、およびボールねじアセンブリーはすべてモジュールハウジング５３の中に収容される。ハウジング５３は一つ以上のハウジング部材から構成されてもよい。例示された実施態様において、該ハウジングは外部ハウジング部材またはケーシング５４と内部ハウジング部材５５から主に構成される。外部ハウジング部材５４は取付けフランジ５７によって囲まれているドーム型の中央部５６を有する。取付けフランジ５７は、該ハウジング、ゆえに該アクチュエーターモジュール、をブレーキヘッド２０の機外側５８に取り外しできるように固定するために用いられる取り外し可能なボルトファスナー３７のための複数の穴を包含する。内部ハウジング部材５５は外部ハウジング部材５４に固定されており、該ハウジングの内部空間を実質的に閉鎖しおよび／或いは一つのユニットとして組み立てられた該モジュールの様々な構成成分を維持する。上記固定はあらゆる適切な手段、例えば例示される止め輪４９によって実施されてもよい。
【００１８】
電動機５０は無ブラシ型直流サーボ電動機でもよい。無ブラシ型直流サーボ電動機５０は、その電動機成分に加えて、内部摩擦型の電気的に作動するブレーキおよびモーターの回転子の整流と角速度を感知するためのレゾルバーを包含していてもよい。該レゾルバーはモーターの位置に関するフィードバックおよび速度の情報を提供するために用いられてもよい。該ブレーキは、特定の適用目的に合わせて所望されるように、パワーオン型でもパワーオフ型でもよい。特定のモーターは、与えられたブレーキの適用目的に対する必要事項に依存して選択される。
【００１９】
伝導装置５１は該電動機５０の駆動軸上にあるピニオン５９、伝達ギヤ６０およびボールねじアセンブリー５２のボールねじ６２と統合されて成るねじギヤ６１を包含する（ここでは好ましいものとしてと同様に不可欠なものとしてある特定の構造について言及されているが、そのような構造は、それに代わって、組み合わされて機能的に同等な構造を形成する複数の独立した要素から構成されていてもよいことは理解されるべきである）。該伝達ギヤは該外部ハウジング部材と該内部ハウジング部材との間に軸受によってジャーナルされており、しかも該ピニオンおよびねじギヤ６１と噛み合っている。該伝達ギヤは、互いに噛み合って、トルクを伝達し且つピニオン５９からねじギヤ６１へ所望のギヤ比を供給する複数のギヤによって実現されてもよい。
【００２０】
ボールねじアセンブリー５２は、組込みギヤ６１を備えるボールねじ６２、回転運動を六角ボールナット６３の直線運動に変換する六角ボールナット６３、および該ボールナットの末端部分に取り付けられそして絶縁界面をブレーキディスクスタック２７に与えるラムパッド６４からなる（図１）。該ボールねじおよびボールナットは公知の構成でもよく、そのため該構成は当業者らにとって直ちに明らかであろうと思われるので、その螺旋溝およびそれと関連するボールについては敢えて説明はしない。さらに、回転運動から直線運動に変換する装置には、所望により、直線運動をする部材が該ボールナットと衝突し該アクチュエーターラムとして機能するような他の装置を用いてもよい。該ボールナット（ここではラムまたはラムナットとしても参照される）は該ボールねじが回転する際にその軸に沿って自由に変換できるが、該ボールナットがボア６５によってナットスライダー６６に誘導される際に自由に回転することはできない。例示された実施態様において、ナットスライダー６６は内部ハウジング部材５５と組み合わされて成る。
【００２１】
図４において一番良く分かるように、ボアまたは誘導路６５およびボールナット６３のそれぞれは、例示された好ましい実施態様において、互いに回転的に干渉し合い該ラムナットの内部ハウジング５５に関連した回転を制限する複数の内部側面／外部側面（参照番号６７で共通して示されている）によって規定される対応する多面断面を有する。好ましく且つ図示されるように、該側面の一つ以上、最も好ましくは該側面のすべて、は平面でありそして該ボールナットと誘導路との間に締り滑り嵌めを提供する正多面体を形成する。しかしながら、上記構成ほど好ましくはないが、他の構成が用いられてもよいことは理解されるであろう。例えば、側面の数は、特定の適用目的に合わせて所望されるように、例示された六つの側面から成る多角形（六角形）から変更されてもよい。六つの側面から成る六面体構造は所望の活動および抗回転特性を提供する。
【００２２】
好ましくは、滑剤、特に適当なグリース、がボールナット６３と誘導路６５の比較的滑動的な表面６７を滑らかにするために用いられる。該ボールナットと誘導路の間の該グリースおよび閉鎖クリアランスは該滑動表面の界面におけるあらゆる感知出来る程の量の埃または他の異物の混入を防ぐことによってあらゆる重大な性能劣化を未然に防いでいることが分かっている。しかしながら、所望により、ワイパーシール、ベローズシール、回転ダイヤフラムシール等の適当なシールを用いて該滑動表面の間の埃または他の望ましくない物質の混入経路を閉鎖してもよい。該ボールスクリューとラムナットアセンブリー用のグリースの例としてはＭＩＬ−Ｇ−８１３２２が挙げられ、該ギヤ列用のグリースとしてはＭＩＬ−Ｇ−８１８２７が挙げられる。
【００２３】
アクチュエーターモジュール３６が図３に示されるように該ブレーキヘッドに対して組み立てられる場合、ナットスライダー６６は、ラムパッド６４が該ブレーキヘッドの機内側に配置された状態で、ブレーキヘッド２０の中の開口部６８を通って伸びている。同様に、電動機５０は、該電動機の長さに適応するのに必要なように、開口部６９（開口部６８と６９の領域を包含する該ブレーキヘッド内の単一の開口部）を通っている。電動機５０およびラムスライダー６６とラム３５の両方は該ブレーキヘッドの機外側から開口部６９と６８のそれぞれを自由に通過し、すなわち該ブレーキヘッドの機外側の表面５８を超えて伸びているこれらの要素の部分の断面積は、それらが通る該ブレーキヘッド内の開口部の断面積より小さい、ことに注意されたい。従って、アクチュエーターモジュール３６は該ブレーキヘッドの機外側から該ブレーキヘッドに対して組み立てられることができ、そして該ブレーキヘッドに対して該アクチュエーターモジュールを組み立て或いは該ブレーキヘッドから該アクチュエーターモジュールを解体するために該ブレーキヘッドの機内側にアクセスする必要はない。
【００２４】
別の配置態様には、開口部６８の直径を超える（特定のブレーキ要求特性のために大きさを調節された）より大きな直径を有するラムパッド６４が包含される。この実施態様において、該ラムパッドは簡単に取り外しができるように、例えば急速切断装置や、さらに詳しくは当該技術において慣用なバネ付きロッキング装置等を用いて該ラムの末端部分に取り外しできるように取り付けられることができる。公知のバネ付き装置は該ブレーキからブレーキヘッド２０を取り外すことなく該ラムパッドを取り外すことを可能とするのでブレーキヘッド２０と一緒にモジュール３６の組立ておよび解体ができる。
【００２５】
特定の適用目的によっては、該電動機は、例えば該ブレーキヘッドを完全には通過しない若しくは該ブレーキヘッド内を部分的にさえ通過しないといったような、図示される以外の寸法や位置に合わせられても構わないことにも注意されたい。ある構成においては、例えば、該電動機は機外側に向かってのみ開いておりそしてもう一方が閉じている該ブレーキヘッド内の穴の中にのみ伸びていてもよい。さらに、ブレーキエンベロープが許せば、該モーターは完全に該ブレーキヘッドの外側に向かって位置していてもよく、さもなければ例えばその軸が該アクチュエーターラムの運動軸に対して垂直に伸びている状態に方向付けられてもよい。
【００２６】
図３に示されるように、ボールねじ６２は、その機外側の末端部分ではラジアル軸受７０とスラストローラー軸受７１そして該ボールねじと該組込みギヤ６１のナットと噛み合っている部分のすぐ近辺ではラジアル玉軸受、といった計三つの軸受によって該モジュールハウジング内で支持されている。ラジアル軸受７２は内部ハウジング部材５５内で支持されている。外部ハウジング部材５４は該ラジアルおよびスラスト軸受を配置し、そして玉軸受に対して機械的なスラスト支持を提供する。さらに図３において示されるように、伝達ギヤ６０は該内部ハウジング部材と外部ハウジング部材との間にジャーナルされる。
【００２７】
図示されてはいないが、該ラムナットはアクチュエーターの位置フィードバックを供給する出力ラム位置感知器と関連していることもできる。例えば、ボールナット６３（アクチュエーターラム３５）はブラケット（腕木）によってＬＶＤＴ位置感知器に機械的に接続されていてもよい。該ＬＶＤＴ電機子は、ＬＶＤＴ設定と位置較正を供給する適当な手段によって該ブラケット（または該モジュールハウジングに対する該感知器本体）に調整可能なように取り付けられていてもよい。他の種類の位置感知器／検出器が所望により特定のアプリケーションに対して用いられてもよい。
【００２８】
当業者らにとっては直ちに明らかとなるであろうが、該ブレーキアクチュエーターの目的とは一積みのブレーキディスク要素にクランプ力を掛けることである。複数の電機機械式（ＥＭ）アクチュエーターが同時に作動し、ブレーキ反応または背圧部材３１とアクチュエーター出力ラム３５との間にクランプ力を発生させる。アクチュエーターの大きさと数は、必要とされる全ブレーキクランプ力を供給するために変更されてもよい。該アクチュエーターは、該クランプ力が該ラムの位置と正比例の関係にあるように制御された変位モードにおいて操作されてもよい。つまり、該ラムの位置は、モーター電流とは対照的に、望ましいブレーキ（制動）負荷を得るために利用されるのが好ましい。しかしながら、ブレーキ力の制御は電流モードにおいて実行されても構わないことに注意されたい。
【００２９】
図３に示されるブレーキにおいて、ラムスライダー６６は該モジュールハウジングの主要部分であり、例えばアクチュエーターモジュール３６の他の構成要素と共に、一つのユニットとしてブレーキヘッド２０から排除するためのモジュールハウジングによって運搬される。図５（ここで同様な部品は同様な但しプライム符号付きの参照番号によって識別される）に示される他の実施態様において、該ラムスライダーは代わりにブレーキヘッド２０’の主要部分として形成されてもよい（つまり誘導路６５’は、例えば、直接に或いは該ブレーキヘッド内に固定されたライナーによって該ブレーキヘッド内に形成される）。従って、この実施態様において該ラムスライダーをアクチュエーターモジュール３６’の部品として取り外すことは不可能である。それにもかかわらず、アクチュエーターモジュール３６’をブレーキヘッド２０’の機外側から一つのユニットとして取り外すことは可能である。該ラムの末端に位置する絶縁パッド６４’は、該ブレーキヘッド内の該穴（誘導路）を通れるような断面の大きさと形状を有していてもよく、或いは前述のように該ラムパッドをバネ式移動止め装置の如き急速着脱装置によって該ラムナットに取り付ることによって該ラムパッドを該ラムナットから迅速に撤去できるようにし、従って該ブレーキヘッドを該ブレーキから撤去することを必要とせずに該アクチュエーターモジュールを撤去できるようにすることができる。
【００３０】
上記に鑑みて、機能不全の電気機械式アクチュエーターを簡単且つ迅速に取り替えることのできるブレーキアセンブリーが提供される。機能不全のアクチュエーターまたは修理および／または取り替えの対象として認識される他のアクチュエーターを修理するためにブレーキを実質的に解体する必要はもうない。代わりに、機能不全のアクチュエーターモジュール３６（若しくは該機能不全のモジュールが特定できない場合はすべてのアクチュエーターモジュール）を、単純にファスナー３７を外しそして該モジュールを該ブレーキヘッドの機外側から回収することによってブレーキヘッド２０から撤去してもよい。この作業は、アクセスが大部分の車輪およびブレーキアセンブリーにおいて該ブレーキヘッドの機外側に向かって得られるため、該ブレーキスタックを解体する必要がなく然も該車輪を該車軸に付けたままでも実施できる。該アクチュエーターモジュールの撤去および取替え作業を容易にするために、各モジュールに関連する電気ケーブル３９（図２）に急速着脱用の継ぎ手が装備されるのが好ましい。
【００３１】
本発明を特定の好ましい実施態様に関して説明してきたが、同等の変更または修正されたものを本明細書および添付図面を読解した際に当業者らが思い付くであろうことは明らかである。上記要素（構成要素、アセンブリー、装置、構造等）によって実行される様々な機能に特に関して、そのような要素を説明するために用いられる用語（「手段」に対する言及も含む）は、特に示されない限り、たとえ本発明のここに説明される例示的な実施態様において上記要素の特定の機能を実行する記載された構造と構造的に同等ではなくても、該機能を実行する（例えば機能的には同等である）あらゆる要素に相当することを意図するものである。加えて、本発明の特定の特徴が幾つかの例示的な実施態様の一つのみに関して上記において説明されてきたが、そのような特徴は、あらゆる所定の若しくは特定の適用目的に対して所望且つ好適であるように、他の実施態様の一つ以上の他の特徴と組み合わされてもよい。
【００３２】
加えて、本発明は、初めに組み合わされて請求項に記載されたかどうか或いは同じ実施態様において記載されたかどうかに関わらず、ここに記載された特徴のすべての実行可能な組み合わせに該当するように考慮される。
【００３３】
【図面の簡単な説明】
【図１】本発明によるブレーキヘッドに据え付けられた複数のアクチュエーターモジュールを包含する航空機用ブレーキの断面図である。
【図２】該モジュールの一つが取り除かれた状態で、図１のライン２−２から見た該アクチュエーターモジュールとブレーキヘッドの軸尾の図である。
【図３】該ブレーキヘッドに据え付けられた一つのアクチュエーターを示す、図２のライン３−３に沿って撮られた断面図である。
【図４】図３のライン４−４に沿って撮られた断面図である。
【図５】本発明によって改修された航空機用ブレーキの断片的な断面図である。
【図１】
0004279930.tif 000002
【図２】
0004279930.tif 000003
【図３】
0004279930.tif 000004
【図４】
0004279930.tif 000005
【図５】
0004279930.tif 000006